(57)【要約】【課題】様々な切花の茎の太さに対応することができ、もって、水漏れを低減させることができる切花保持用キャップを提供することを目的としている。【解決手段】水を収容するペットボトルＰの口部Ｐａを液密的に封止する切花保持用キャップ本体１０と、  切花保持用キャップ本体１０に設けられた切花Ｋの茎Ｋａを挿入可能な開口部１０ｃと、  開口部１０ｃの下部側に設けられた切花Ｋの茎Ｋａを支持する支持部１０ｄと、を備え、  支持部１０ｄは、切花Ｋの茎Ｋａの径に応じて弾性変形可能であると共に、切花保持用キャップ本体１０の軸線方向に向って当該切花保持用キャップ本体１０の内壁面より突出して設けられている。【選択図】図３
2017018301.tif 000002
【特許請求の範囲】
【請求項１】
液体を収容する容器の口部を液密的に封止する切花保持用キャップ本体と、
前記切花保持用キャップ本体に設けられた切花の茎を挿入可能な開口部と、
前記開口部の下部側に設けられた前記切花の茎を支持するする支持部と、を備え、
前記支持部は、前記切花の茎の径に応じて弾性変形可能であると共に、前記切花保持用キャップ本体の軸線方向に向って当該切花保持用キャップ本体の内壁面より突出して設けられてなる切花保持用キャップ。
【請求項２】
前記支持部は、下り傾斜状に形成されてなる請求項１に記載の切花保持用キャップ。
【請求項３】
前記切花保持用キャップ本体には、前記容器口部の内周壁面に係合可能な係合部が設けられてなる請求項１又は２に記載の切花保持用キャップ。
【発明の詳細な説明】
【技術分野】
【０００１】
本発明は、市販の容器（例えば、ペットボトル）を用いて、切花を保持（一輪挿し）させても水漏れし難い切花保持用キャップに関し、特に、様々な切花の茎の太さに対応することができ、もって、水漏れを低減させることができる切花保持用キャップに関するものである。
【背景技術】
【０００２】
従来、切花の鮮度を維持するための保水用の容器が各種案出されている。例えば、可撓性材質からなる開放口を有する容器の該開放口の外周に外方突条を設けると共に、中央部に切花の茎を嵌挿密着する挿入孔と内周壁に内方突条とを有する弾性材からなるキャップを前記開放口に嵌着し、前記容器内に水を入れて切花の茎を前記挿入孔に挿入密着するというものが知られている（特許文献１参照）。
【先行技術文献】
【特許文献】
【０００３】
【特許文献１】実開平５−８５２３６号公報
【発明の概要】
【発明が解決しようとする課題】
【０００４】
しかしながら、切花の茎の太さ（径）は一定ではなく様々であるから、上記のようなキャップの構造では、様々な切花の茎の太さ（径）に対応することができず、もって、水漏れしてしまうという問題があった。
【０００５】
そこで、本発明は、上記問題に鑑み、様々な切花の茎の太さに対応することができ、もって、水漏れを低減させることができる切花保持用キャップを提供することを目的としている。
【課題を解決するための手段】
【０００６】
上記課題を解決するための手段は、以下の手段によって達成される。なお、括弧内は、後述する実施形態の参照符号を付したものであるが、本発明はこれに限定されるものではない。
【０００７】
請求項１に係る切花保持用キャップは、液体（Ｗ）を収容する容器（ペットボトルＰ）の口部（Ｐａ）を液密的に封止する切花保持用キャップ本体（１０）と、
前記切花保持用キャップ本体（１０）に設けられた切花（Ｋ）の茎（Ｋａ）を挿入可能な開口部（１０ｃ）と、
前記開口部（１０ｃ）の下部側に設けられた前記切花（Ｋ）の茎（Ｋａ）を支持する支持部（１０ｄ）と、を備え、
前記支持部（１０ｄ）は、前記切花（Ｋ）の茎（Ｋａ）の径に応じて弾性変形可能であると共に、前記切花保持用キャップ本体（１０）の軸線（Ｏ）方向に向って当該切花保持用キャップ本体（１０）の内壁面より突出して設けられてなることを特徴としている。
【０００８】
また、請求項２に係る切花保持用キャップは、上記請求項１に記載の切花保持用キャップにおいて、前記支持部（１０ｄ）は、下り傾斜状に形成されてなること特徴としている。
【０００９】
さらに、請求項３に係る切花保持用キャップは、上記請求項１又は２に記載の切花保持用キャップにおいて、前記切花保持用キャップ本体（１０）には、前記容器（ペットボトルＰ）口部（Ｐａ）の内周壁面に係合可能な係合部（１０ｆ）が設けられてなることを特徴としている。
【発明の効果】
【００１０】
次に、本発明の効果について、図面の参照符号を付して説明する。なお、括弧内は、後述する実施形態の参照符号を付したものであるが、本発明はこれに限定されるものではない。
【００１１】
請求項１の発明によれば、切花保持用キャップ本体（１０）にて容器（ペットボトルＰ）の口部（Ｐａ）を液密的に封止し、液漏れが生じ難いようにしている。そして、切花保持用キャップ本体（１０）に設けられている開口部（１０ｃ）に切花（Ｋ）の茎（Ｋａ）を挿入するだけで良いため、作業性が格段に向上することとなる。そしてさらには、支持部（１０ｄ）は、切花（Ｋ）の茎（Ｋａ）の径に応じて弾性変形可能であると共に、切花保持用キャップ本体（１０）の軸線（Ｏ）方向に向って当該切花保持用キャップ本体（１０）の内壁面より突出して設けられると共に、開口部（１０ｃ）の下部側に設けられているから、開口部（１０ｃ）より挿入された切花（Ｋ）の茎（Ｋａ）によって、その突出している部分が弾性変形し、もって、切花（Ｋ）の茎（Ｋａ）の太さ（径）に適合した径に拡径することとなる。すなわち、その突出している部分が切花Ｋの茎Ｋａの太さ（径）に応じて、弾性変形し、切花（Ｋ）の茎（Ｋａ）に密接することとなるから、様々な切花（Ｋ）の茎（Ｋａ）の太さ（径）に対応することができ、もって、容器（ペットボトルＰ）が倒れたとしても、開口部（１０ｃ）より生じる液漏れを低減させることができる。
【００１２】
また、本発明によれば、液体（Ｗ）が収容されている容器（ペットボトルＰ）の口部（Ｐａ）を切花保持用キャップ本体（１０）にて液密的に封止させ、開口部（１０ｃ）に切花（Ｋ）の茎（Ｋａ）を挿入させるだけで、液漏れし難い状態で切花（Ｋ）を保持することができる。これにより、切花の茎を挿入する際の作業性を向上させることができると共に、一般に市販されている容器（ペットボトルＰ）を用いて手軽に一輪挿しを行うことができる。
【００１３】
一方、請求項２の発明によれば、支持部（１０ｄ）は、下り傾斜状に形成されているから、切花（Ｋ）の茎（Ｋａ）を安定して支持することができる。
【００１４】
さらに、請求項３の発明によれば、切花保持用キャップ本体（１０）には、容器（ペットボトルＰ）口部（Ｐａ）の内周壁面に係合可能な係合部（１０ｆ）が設けられているから、切花保持用キャップ本体（１０）にて容器（ペットボトルＰ）の口部（Ｐａ）を液密的に封止した際、係合部（１０ｆ）が、容器（ペットボトルＰ）の口部（Ｐａ）の内周壁面に係合されることとなる。これにより、容器（ペットボトルＰ）の口部（Ｐａ）が液密的により封止させることとなり、もって、容器（ペットボトルＰ）の口部（Ｐａ）からの液漏れをより低減させることができる。
【図面の簡単な説明】
【００１５】
【図１】本発明の一実施形態に係る切花保持用キャップを、一般に市販されているペットボトルの口部に取り付けようとしている状態を示す斜視図である。
【図２】（ａ）は同実施形態に係る切花保持用キャップの正面図、（ｂ）は（ａ）のＸ−Ｘ線断面図である。
【図３】（ａ）は同実施形態に係る切花保持用キャップを口部に取り付けたペットボトルに切花を挿入している状態を示す拡大縦断面図、（ｂ）は同実施形態に係る切花保持用キャップを口部に取り付けたペットボトルに切花を挿入した状態を示す拡大縦断面図である。
【図４】同実施形態に係る切花保持用キャップを口部に取り付けたペットボトルに切花を挿入した状態の縦断面図である。
【発明を実施するための形態】
【００１６】
以下、本発明に係る切花保持用キャップの一実施形態を、図１〜図４を参照して具体的に説明する。なお、以下の説明において、上下左右の方向を示す場合には、図示正面から見た場合の上下左右をいうものとする。
【００１７】
図１及び図２に示すように、切花保持用キャップ１は、可撓性を有すると共に弾性力を有する合成樹脂で成形され、正面視円形状に形成される切花保持用キャップ本体１０を備えている。この切花保持用キャップ本体１０は、図２（ｂ）に示すように、下面１０ａが開放され、上面１０ｂが閉止された円筒状に形成されている。そして、このように形成される切花保持用キャップ本体１０の上面１０ｂ中央部には、軸線Ｏ方向に沿うように、上面１０ｂから下面１０ａに向ってほぼ円形状の開口部１０ｃが貫通して設けられている。この開口部１０ｃは、下方向に向って漸次径小となる下窄まり状に形成され、その開口部１０ｃの下部には、支持部１０ｄが設けられている。なお、本実施形態において、開口部１０ｃは、下方向に向って漸次径小となる下窄まり状に形成されているが、それに限らず、同一径にしても良い。
【００１８】
支持部１０ｄは、図２（ｂ）に示すように、基端部が切花保持用キャップ本体１０の上面１０ｂ側の壁面に連設し、先端部が軸線Ｏ方向に向って下り傾斜状に切花保持用キャップ本体１０の壁面（すなわち、開口部１０ｃの下部に位置する壁面）より突出するように設けられている。そして、この支持部１０ｄの先端部には、隙間Ｓが形成され、この隙間Ｓを介して、開口部１０ｃの空間Ｋ１と切花保持用キャップ本体１０の下面１０ａ側に位置する空間Ｋ２とが連通するようになっている。これにより、切花Ｋ（図４参照）の茎Ｋａ（図３参照）が、開口部１０ｃの空間Ｋ１内に挿入されると、その切花Ｋ（図４参照）の茎Ｋａ（図３参照）が隙間Ｓを介して、切花保持用キャップ本体１０の下面１０ａ側に位置する空間Ｋ２内に挿入されることとなる。なお、支持部１０ｄの先端部に形成されている隙間Ｓは、本実施形態に示す切花Ｋ（図４参照）の茎Ｋａ（図３参照）の太さ（径）よりも径小（例えば、直径３ｍｍ）となっており、その隙間Ｓ内に切花Ｋの茎Ｋａが挿入されると、支持部１０ｄが可撓性を有すると共に弾性力を有する合成樹脂で成形されていることから、支持部１０ｄが弾性変形し、もって、隙間Ｓの径が拡径することとなる。一方、支持部１０ｄより切花Ｋの茎Ｋａが抜出されると、弾発力によって支持部１０ｄが元の位置に戻ろうとし、もって、隙間Ｓの径が縮径、すなわち、元の径に戻ることとなる。
【００１９】
他方、切花保持用キャップ本体１０の左右内周壁面には、図２（ｂ）に示すように、周方向に沿って、図１に示すペットボトルＰの口部Ｐａに刻設されている雄ねじ部Ｐａ１に螺合する雌ねじ部１０ｅが刻設されている。そして、切花保持用キャップ本体１０の上部内壁面には、図１に示すペットボトルＰの口部Ｐａの内周壁面に係合可能な係合部１０ｆが、周方向に沿って、突設されている。
【００２０】
かくして、このように形成される切花保持用キャップ１は、以下のように使用される。
【００２１】
まず、図１及び図４に示すように、一般に市販されているペットボトルＰに水等の液体Ｗを収容しておく。次いで、図１に示すように、切花保持用キャップ１を矢印Ｙ１方向に移動させ、液体Ｗが収容されているペットボトルＰの口部Ｐａに刻設されている雄ねじ部Ｐａ１に切花保持用キャップ本体１０の雌ねじ部１０ｅを螺合させる。これにより、図３，図４に示すように、切花保持用キャップ本体１０によって、ペットボトルＰの口部Ｐａが液密的に封止されることとなる。この際、特に図３に示すように、切花保持用キャップ本体１０の上部内壁面に突設されている係合部１０ｆが、ペットボトルＰの口部Ｐａの内周壁面に係合されることとなるから、ペットボトルＰの口部Ｐａが液密的により封止させることとなり、もって、ペットボトルＰの口部Ｐａからの液漏れをより低減させることができる。
【００２２】
次いで、この状態で、図３（ａ）に示すように、開口部１０ｃの空間Ｋ１内に切花Ｋの茎Ｋａを挿入し、さらに、矢印Ｙ２方向に向って、その切花Ｋの茎Ｋａを移動させると、隙間Ｓを通って空間Ｋ２内に切花Ｋの茎Ｋａが挿入されることとなる。この際、支持部１０ｄが可撓性を有すると共に弾性力を有する合成樹脂で成形されていることから、破線位置から実線位置に支持部１０ｄが弾性変形し、もって、隙間Ｓの径が拡径することとなる。これにより、図３（ｂ）に示すように、切花Ｋの茎ＫａをペットボトルＰ内に挿入することができ、もって、図４に示すようにペットボトルＰに収容されている液体Ｗに切花Ｋの茎Ｋａを浸漬させることができる。この点、より詳しく説明すると、支持部１０ｄの先端部が軸線Ｏ方向に向って下り傾斜状に切花保持用キャップ本体１０の壁面（すなわち、開口部１０ｃの下部に位置する壁面）より突出して設けられているから、その突出している部分が弾性変形し、もって、隙間Ｓの径が切花Ｋの茎Ｋａの太さ（径）に適合した径に拡径することとなる。これにより、切花Ｋの茎ＫａをペットボトルＰ内に挿入することができ、もって、図４に示すようにペットボトルＰに収容されている液体Ｗに切花Ｋの茎Ｋａを浸漬させることができる。そして、この際、隙間Ｓの径が切花Ｋの茎Ｋａの太さ（径）に適合した径に拡径しているから、支持部１０ｄの先端部が切花Ｋの茎Ｋａに密接することとなる。これにより、図４（図３（ｂ）も参照）に示すように、切花Ｋの茎Ｋａが支持部１０ｄの先端部にて支持され、ペットボトルＰが倒れたとしても、開口部１０ｃより生じる液漏れを低減させることができる。しかして、このように、支持部１０ｄを軸線Ｏ方向に向って下り傾斜状に切花保持用キャップ本体１０の壁面（すなわち、開口部１０ｃの下部に位置する壁面）より突出して設けておけば、その突出部分が切花Ｋの茎Ｋａの太さ（径）に応じて弾性変形し、もって、切花Ｋの茎Ｋａに密接することとなるから、様々な切花Ｋの茎Ｋａの太さ（径）に対応することが可能となる。
【００２３】
かくして、このようにすれば、図４（図３（ｂ）も参照）に示すように、ペットボトルＰに収容されている液体Ｗに切花Ｋの茎Ｋａを浸漬させた状態で、切花保持用キャップ１にて切花Ｋを保持させることができる。なお、開口部１０ｃより切花Ｋの茎Ｋａを抜出すると、支持部１０ｄが弾発力によって元の位置に戻ろうとし、もって、隙間Ｓの径が縮径、すなわち、元の径（図３（ａ）に示す実線位置から破線位置）に戻ることとなる。
【００２４】
しかして、以上説明した本実施形態によれば、ペットボトルＰの口部Ｐａを切花保持用キャップ本体１０によって液密的に封止し、水漏れが生じ難いようにしている。そして、切花保持用キャップ本体１０に切花Ｋの茎Ｋａを挿入可能な開口部１０ｃが形成されていることから、その開口部１０ｃに切花Ｋの茎Ｋａを挿入するだけで良いため、作業性が格段に向上することとなる。そしてさらには、支持部１０ｄの先端部が軸線Ｏ方向に向って下り傾斜状に切花保持用キャップ本体１０の壁面（すなわち、開口部１０ｃの下部に位置する壁面）より突出して設けられているから、その突出している部分が弾性変形し、もって、隙間Ｓの径が切花Ｋの茎Ｋａの太さ（径）に適合した径に拡径することとなる。これにより、その突出している部分が切花Ｋの茎Ｋａの太さ（径）に応じて、弾性変形し、切花Ｋの茎Ｋａに密接することとなるから、様々な切花Ｋの茎Ｋａの太さ（径）に対応することができ、もって、ペットボトルＰが倒れたとしても、開口部１０ｃより生じる液漏れを低減させることができることとなる。
【００２５】
また、本実施形態によれば、液体Ｗが収容されている一般に市販されているペットボトルＰの口部Ｐａに切花保持用キャップ１を螺合させ、切花保持用キャップ本体１０の開口部１０ｃに切花Ｋの茎Ｋａを挿入させるだけで、液漏れし難い状態で切花Ｋを保持することができる。これにより、切花Ｋの茎Ｋａを挿入する際の作業性を向上させることができると共に、一般に市販されているペットボトルＰを用いて手軽に一輪挿しを行うことができる。
【００２６】
ところで、本実施形態においては、支持部１０ｄが軸線Ｏ方向に向って下り傾斜状に切花保持用キャップ本体１０の壁面（すなわち、開口部１０ｃの下部に位置する壁面）より突出している例を示したが、それに限らず、上り傾斜状でも、傾斜させずに水平状にしても良い。しかしながら、支持部１０ｄは、下り傾斜状に形成した方が好ましい。切花Ｋの茎Ｋａを安定して支持することができるためである。
【００２７】
また、本実施形態において示した切花保持用キャップ本体１０の形状はあくまで例示であり、この形状に限定されるものではない。例えば、ダイヤモンド形状でも三角錐状でも良く、ペットボトルＰの口部Ｐａの雄ねじ部Ｐａ１に螺合さえできれば、どのような形状でも良い。
【符号の説明】
【００２８】
１        切花保持用キャップ
１０      切花保持用キャップ本体
１０ｃ    開口部
１０ｄ    支持部
１０ｆ    係合部
Ｐ        ペットボトル（容器）
Ｐａ      口部
Ｋ        切花
Ｋａ      茎
Ｗ        液体
Ｏ        軸線
【図１】
2017018301.tif 000003
【図２】
2017018301.tif 000004
【図３】
2017018301.tif 000005
【図４】
2017018301.tif 000006